(57)【要約】【課題】  楽曲情報が多く記憶されて普段は携帯して音楽を楽しむことができるデジタルプレイヤを、容易に、車に取り付けることができ、車中で、ＣＤやカセット等を入れ替えなくても、ドライブ中に所望の音楽を楽しむことができる車載オーディオ装置を提供することを目的とする。【解決手段】  楽曲情報を書込消去自在なハードディスク駆動装置又は半導体メモリ内蔵型ポータブルプレイヤＰを、抜差自在に差込む差込口２を備える。また、ポータブルプレイヤＰと、差込口２の内部２ａとの接触により、自動的に、ポータブルプレイヤＰを、車10に搭載の電源３及びスピーカ４に電気的に接続すると共に、車10に搭載されたディスプレイ体５に電気的に接続しディスプレイ体５の画面上での操作・表示に切り換える自動切換手段９を、具備する。【選択図】  図４
2006048867.tif 000002
【特許請求の範囲】
【請求項１】
楽曲情報を書込消去自在なハードディスク駆動装置又は半導体メモリ内蔵型ポータブルプレイヤ（Ｐ）を、抜差自在に差込む差込口（２）を備え、
上記ポータブルプレイヤ（Ｐ）と、該差込口（２）の内部（２ａ）との接触により、自動的に、該ポータブルプレイヤ（Ｐ）を、車（10）に搭載の電源（３）及びスピーカ（４）に電気的に接続すると共に、該車（10）に搭載されたディスプレイ体（５）に電気的に接続し該ディスプレイ体（５）の画面（５ａ）上での操作・表示に切り換える自動切換手段（９）を、具備することを特徴とする車載オーディオ装置。
【請求項２】
上記ポータブルプレイヤ（Ｐ）が上記車（10）の上記差込口（２）に差込まれると、上記ポータブルプレイヤ（Ｐ）に内蔵された電池部（13）の電気の消費が、停止されるように構成された請求項１記載の車載オーディオ装置。
【請求項３】
複数種類のポータブルプレイヤ（Ｐ）の差込み部（25）の横断面形状を、共通化し、
さらに、該複数種類のポータブルプレイヤ（Ｐ）について、その差込み部（25）が上記差込口（２）に差込まれると、車載の上記電源（３），スピーカ（４）及びディスプレイ体（５）の画面（５ａ）に自動的に切換わるように、上記自動切換手段（９）を構成した請求項１又は２記載の車載オーディオ装置。
【発明の詳細な説明】
【技術分野】
【０００１】
本発明は、車載オーディオ装置に関するものである。
【背景技術】
【０００２】
従来、所望のＣＤ（コンパクトディスク）やカセットテープを車載プレイヤにセットし、車内のスピーカより音楽を流して、聴くことができる車載オーディオ装置が広く知られている（例えば、特許文献１参照）。
【特許文献１】特開平５−８５２７６号公報
【発明の開示】
【発明が解決しようとする課題】
【０００３】
１枚のＣＤやカセットテープには、十数曲程度の曲しか記憶させられないので、ドライブ中に多くの音楽を楽しむためには、車に多くのＣＤやカセットテープを搭載しておき、頻繁に、ＣＤやカセットテープを入れ替える必要がある。よって、作業が面倒であり、不便である。また、行楽地等に到着して音楽を楽しむには、ポータブルプレイヤを別途必要としていた。
【０００４】
そこで、本発明は、楽曲情報が多く記憶されて普段は携帯して音楽を楽しむことができるデジタルプレイヤを、容易に、車に取り付けることができ、車中で、ＣＤやカセットテープを入れ替えなくても、ドライブ中に所望の音楽を楽しむことができる車載オーディオ装置を提供することを目的とする。
また、別途、ポータブルプレイヤを持つ必要がないようにすることを、他の目的とする。
【課題を解決するための手段】
【０００５】
上記の目的を達成するために、本発明に係る車載オーディオ装置は、楽曲情報を書込消去自在なハードディスク駆動装置又は半導体メモリ内蔵型ポータブルプレイヤを、抜差自在に差込む差込口を備え、上記ポータブルプレイヤと、該差込口の内部との接触により、自動的に、該ポータブルプレイヤを、車に搭載の電源及びスピーカに電気的に接続すると共に、該車に搭載されたディスプレイ体に電気的に接続し該ディスプレイ体の画面上での操作・表示に切り換える自動切換手段を、具備する。
【０００６】
また、上記ポータブルプレイヤが上記車の上記差込口に差込まれると、上記ポータブルプレイヤに内蔵された電池部の電気の消費が、停止されるように構成されている。
また、複数種類のポータブルプレイヤの差込み部の横断面形状を、共通化し、さらに、該複数種類のポータブルプレイヤについて、その差込み部が上記差込口に差込まれると、車載の上記電源，スピーカ及びディスプレイ体の画面に自動的に切換わるように、上記自動切換手段を構成したものである。
【発明の効果】
【０００７】
本発明は、次のような著大な効果を奏する。
ポータブルプレイヤを、車載オーディオ装置の差込口に差込むだけで、自動的に、車載電源，スピーカ及びディスプレイ体に電気的に接続されるので、配線等の面倒な作業をしなくても、容易に、車中で、ポータブルプレイヤに記憶させた音楽を、十分な音量にて、かつ、高音質で、楽しむことができる。
そして、ハードディスク駆動装置又は半導体メモリには、非常に多くの楽曲情報（例えば、数千曲以上の楽曲）を記憶させておくことができるので、ドライブ中に、（ＣＤやカセットテープ等のように、）頻繁に入れ替えなくても、所望の音楽を楽しむことができる。
しかも、このポータブルプレイヤは、差込口から取り外して使用することができるので、普段は、通勤や行楽地等にて、携帯して音楽を楽しむことができる。
【発明を実施するための最良の形態】
【０００８】
以下、実施の形態を示す図面に基づき、本発明を詳説する。
図１，図２，図３，図４に示すように、本発明に係る車載オーディオ装置は、車10の運転席の近傍に据えつけられ、ハードディスク駆動装置（ＨＤＤ）又は半導体メモリ内蔵型ポータブルプレイヤＰを抜差自在に差込む差込口２を有するオーディオ装置本体１を、備える。このハードディスク駆動装置（ＨＤＤ）又は半導体メモリ内蔵型ポータブルプレイヤＰは、デジタルプレイヤと呼ばれることもある。
５は、運転席の前側に取り付けられたカーテレビ用やカーナビゲーション用あるいは各種情報を表示するディスプレイ体である。大きさは、図１のように比較的大きいものから、その数分の１の小さ目のもの（図示省略）も自由に選択できる。
【０００９】
ポータブルプレイヤＰに内蔵されたＨＤＤ又は半導体メモリは、家庭等のパソコンによって、楽曲情報が、書込消去自在に記憶され、１台のポータブルプレイヤＰに、一度に、数千乃至１万数千の楽曲を、記憶可能である。
ポータブルプレイヤＰの外部ケース20は、薄い帯板形状を有し、その基端面21に、ヘッドホン19（またはイヤホン）のコードの入力端子が差込まれる出力部（ヘッドホンジャック）23と、ＯＮ−ＯＦＦスイッチ15と、を有し、先端面22に、装置本体１の差込口２の（後述する）入力・出力端子７ａ，７ｂに接触分離自在な出力・入力端子17ａ，17ｂを、有し、さらに、その正面に、選曲や音量調整等を行う操作部14と、曲名等を表示する表示部24と、が配設される。また、ケース20の側部に、パソコンから楽曲情報を転送するＵＳＢケーブルやＬＡＮケーブル等の接続部が、配設される。
なお、操作部14，スイッチ15，出力部23は、位置変更自在であり、例えば、ケース20の側面部に配設されてもよい。
【００１０】
さらに、このポータブルプレイヤＰは、楽曲情報の出力をヘッドホン19と（後述の）車載スピーカ４とのどちらかに切り換える制御切換回路11が、内蔵され、ケース20内において、制御切換回路11は、記憶部16，（充電池や乾電池等の）電池部13，スイッチ15，操作部14，表示部24，出力部23及び出力・入力端子17ａ，17ｂと、夫々（個別に）電気的に接続される。
ポータブルプレイヤＰは、制御切換回路11の制御により、オーディオ装置本体１の差込口２に差込まれていない場合は、スイッチ15によるＯＮ−ＯＦＦ切換と、操作部14による選曲・音量調整等の操作とが可能であり、かつ、ヘッドホン19で音楽を聴くことができる。
かつ、ポータブルプレイヤＰは、制御切換回路11の制御により、差込口２に差込まれた場合は、電池部13の消費が停止し、かつ、スイッチ15・操作部14の操作が停止すると共に、（後述するように、）記憶部16とオーディオ装置本体１との間で楽曲情報の入出力が行われる。
【００１１】
次に、オーディオ装置本体１について説明すると、差込口２は、ポータブルプレイヤＰのケース20の先端面22側が抜差自在となる横乃至縦方向細長形状であり、差込口２の内部２ａは、ケース20の先端面22に当接され、ケース20の出力・入力端子17ａ，17ｂに対応するように配設された入力・出力端子７ａ，７ｂを、有する。ケース20の出力・入力端子17ａ，17ｂは、凹状で、装置本体１の入力・出力端子７ａ，７ｂは、凸状に形成される。あるいは、図示省略するが、凹凸を逆にして形成してもよい。
【００１２】
また、オーディオ装置本体１は、ポータブルプレイヤＰと差込口２の内部２ａとが接触すると、自動的に、ポータブルプレイヤＰを、車載電源３及びスピーカ４に電気的に接続すると共に、車10に搭載されたディスプレイ体５に電気的に接続しディスプレイ体５の画面５ａ上での操作・表示に切り換える自動切換手段９を、具備する。
具体的には、自動切換手段９は、差込口２に差込まれたポータブルプレイヤＰの先端面22が当接されたことを検出する検出部８と、装置本体１内において検出部８と電気的に接続され検出信号が送信されて車載電源３，車載スピーカ４…，ディスプレイ体５に切換える制御回路６と、を有する。
制御回路６は、装置本体１内にて、入力・出力端子７ａ，７ｂと電気的に接続されると共に、車載電源３，車載スピーカ４…，ディスプレイ体５と、夫々、配線33，34，35にて電気的に接続される。
また、検出部８は、例えば、差込口２の内部２ａに形成された細長凹部内に配設されたコイルバネの弾発付勢力により、差込口２の内部２ａに突出された小押圧体を有するプッシュボタン式切換部から、成る（図３，図４参照）。あるいは、検出部８を、差込口２の内部２ａに上記先端面22が差込まれたことを電気的に検出し、制御回路６へ検出信号を送信するように構成してもよい。また、オーディオ装置本体１は、上記の差込口２の他に、ＣＤ，ＭＤ，カセットテープ等のオーディオソフトのプレイヤ機能を、備えて、使用可能としてもよい。
【００１３】
次に、車載オーディオ装置の使用方法及び作用について説明する。
図１，図３に於ては、ポータブルプレイヤＰが、オーディオ装置本体１の差込口２に差込まれていない状態であり、このとき、スイッチ15をＯＮにして、出力部23に接続されたヘッドホン19から、記憶部16に記憶された（書込まれた）楽曲を、聴くことができる。
また、操作部14で選曲・音量調整等の操作を行うことができ、それらの情報を表示部24で確認できる（図２参照）。
【００１４】
次いで、図４に示すように、ポータブルプレイヤＰを、オーディオ装置本体１の差込口２に差込み、ポータブルプレイヤＰの出力・入力端子17ａ，17ｂを、オーディオ装置本体１の入力・出力端子７ａ，７ｂに接続する。
このとき、オーディオ装置本体１において、矢印38のように、検出部８から制御回路６に検出信号が流れ、車載電源３の電力が、制御回路６へ供給される。すると、制御回路６から出力された制御信号が、矢印39のように、出力端子７ｂ、及び、ポータブルプレイヤＰの入力端子17ｂを介して、制御切換回路11へ送信されて、制御切換回路11が、電池部13の電力消費を停止させ、かつ、スイッチ15及び操作部14の操作を停止するように、制御する。
そして、記憶部16から出力された情報（データ）が、矢印40のように、制御切換回路11，出力端子17ａ、及び、オーディオ装置本体１の入力端子７ａを介して、制御回路６に入力される。そして、スピーカ４…は、制御回路６から楽曲情報が送信されて、音楽を流し、ディスプレイ体５は、制御回路６から曲名等の情報が送信されて画面５ａに表示される。
また、ディスプレイ体５の画面５ａをタッチパネルとして、操作可能とすると、画面５ａ上で選曲や音量調整等の操作をでき、ディスプレイ体５から出力された信号が、矢印41のように、制御回路６に送信される。この信号による制御回路６の制御により、ポータブルプレイヤＰの記憶部16やスピーカ４…へ、制御信号が送信され、選曲や音量調整等がなされる。
【００１５】
また、複数種類のポータブルプレイヤＰの差込み部25の横断面形状を、共通化するように、構成してもよい。即ち、複数種類のポータブルプレイヤＰに対して、その差込み部25の形状を、共通のオーディオ装置本体１の差込口２に、抜差自在となるように、形成する。また、上記出力・入力端子17ａ，17ｂが、装置本体１の入力・出力端子７ａ，７ｂに、夫々対応して接触するように、構成する。
さらに、複数種類のポータブルプレイヤＰについて、その差込み部25がオーディオ装置本体１の差込口２に差込まれると、車載電源３，スピーカ４…及びディスプレイ体５の画面５ａに自動的に切換わるように、自動切換手段９を構成するのもよい。
以上のような構成にすることにより、どのメーカーのポータブルプレイヤＰでも、同一のオーディオ装置本体に差込んで、車内で音楽を楽しむことができる。
【００１６】
そして、車10内で、音楽を聴き終え、ポータブルプレイヤＰを、オーディオ装置本体１の差込口２から抜取ると、（図１，図３に於て既述したように、）スイッチ15をＯＮにして、出力部23に接続されたヘッドホン19で、操作部14で選曲・音量調整等の操作を行いながら、音楽を聴くことができ、それらの情報を表示部24で確認できる（図２参照）。
【００１７】
以上のように、本発明の車載オーディオ装置は、楽曲情報を書込消去自在なハードディスク駆動装置又は半導体メモリ内蔵型ポータブルプレイヤＰを、抜差自在に差込む差込口２を備え、ポータブルプレイヤＰと、差込口２の内部２ａとの接触により、自動的に、ポータブルプレイヤＰを、車10に搭載の電源３及びスピーカ４に電気的に接続すると共に、車10に搭載されたディスプレイ体５に電気的に接続しディスプレイ体５の画面５ａ上での操作・表示に切り換える自動切換手段９を、具備するので、ポータブルプレイヤＰを、車10内の差込口２に差込んでセットするだけで、容易に、車載電源３，スピーカ４，ディスプレイ体５に電気的に接続されるので、配線等の面倒な作業をしなくても、車中で、音楽を、十分な音量にて、かつ、高音質で、楽しむことができる。
そして、ハードディスク駆動装置又は半導体メモリには、非常に多くのオーディオ情報（例えば、数千曲以上の楽曲）を記憶させておくことができるので、ドライブ中に、（ＣＤやカセットテープ等のように、）頻繁に入れ替えなくても、所望の音楽を楽しむことができる。
しかも、このポータブルプレイヤＰは、差込口２から取り外して使用することができるので、普段は、通勤や行楽地等にて携帯して音楽を楽しむことができる。
【００１８】
また、ポータブルプレイヤＰが車10の差込口２に差込まれると、ポータブルプレイヤＰに内蔵された電池部13の電気の消費が、停止されるように構成されるので、車10内で車載スピーカにて音楽を楽しんでいる間は、電池部13の蓄電が消耗することがなく、差込口２から取外して使用するために、電池部13を長持ちさせられ、好都合である。
【００１９】
また、複数種類のポータブルプレイヤＰの差込み部25の横断面形状を、共通化し、さらに、複数種類のポータブルプレイヤＰについて、その差込み部25が差込口２に差込まれると、車載の電源３，スピーカ４及びディスプレイ体５の画面５ａに自動的に切換わるように、自動切換手段９を構成したので、どのメーカーのポータブルプレイヤＰでも、同一のオーディオ装置本体に差込んで、車内で音楽を楽しむことができる。
【図面の簡単な説明】
【００２０】
【図１】本発明に係る車載オーディオ装置の実施の一形態を示す斜視図である。
【図２】ポータブルプレイヤを示す図であって、（ａ）は正面図で、（ｂ）は平面図で、（ｃ）は底面図である。
【図３】説明用ブロック図である。
【図４】説明用ブロック図である。
【符号の説明】
【００２１】
１  オーディオ装置本体
２  差込口
２ａ  内部
３  電源
４  スピーカ
５  ディスプレイ体
５ａ  画面
９  自動切換手段
10  車
13  電池部
25  差込み部
Ｐ  ポータブルプレイヤ
【図１】
2006048867.tif 000003
【図２】
2006048867.tif 000004
【図３】
2006048867.tif 000005
【図４】
2006048867.tif 000006
【手続補正書】
【提出日】平成17年5月9日(2005.5.9)
【手続補正１】
【補正対象書類名】特許請求の範囲
【補正対象項目名】全文
【補正方法】変更
【補正の内容】
【特許請求の範囲】
【請求項１】
楽曲情報を書込消去自在なハードディスク駆動装置又は半導体メモリ内蔵型ポータブルプレイヤ（Ｐ）を、抜差自在に差込む差込口（２）を備え、
上記ポータブルプレイヤ（Ｐ）と、該差込口（２）の内部（２ａ）との接触により、自動的に、該ポータブルプレイヤ（Ｐ）を、車（10）に搭載の電源（３）及びスピーカ（４）に電気的に接続すると共に、該車（10）に搭載されたカーテレビ用又はカーナビゲーション用ディスプレイ体（５）に電気的に接続し該ディスプレイ体（５）の画面（５ａ）上での操作・表示に切り換える自動切換手段（９）を、具備し、
複数種類のポータブルプレイヤの差込み部の横断面形状を、共通化し、該複数種類のポータブルプレイヤから選択した１個のポータブルプレイヤ（Ｐ）の差込み部（25）が上記差込口（２）に差込まれると、車載の上記電源（３），スピーカ（４）及びディスプレイ体（５）の画面（５ａ）に自動的に切換わるように、上記自動切換手段（９）を構成したことを特徴とする車載オーディオ装置。
【請求項２】
楽曲情報を書込消去自在なハードディスク駆動装置又は半導体メモリ内蔵型ポータブルプレイヤ（Ｐ）を、抜差自在に差込む差込口（２）を備え、
上記ポータブルプレイヤ（Ｐ）と、該差込口（２）の内部（２ａ）との接触により、自動的に、該ポータブルプレイヤ（Ｐ）を、車（10）に搭載の電源（３）及びスピーカ（４）に電気的に接続すると共に、該車（10）に搭載されたカーテレビ用又はカーナビゲーション用ディスプレイ体（５）に電気的に接続し該ディスプレイ体（５）の画面（５ａ）上での操作・表示に切り換える自動切換手段（９）を、具備し、
かつ、上記ディスプレイ体（５）の画面（５ａ）を、選曲や音量調整等の表示と操作を可能なタッチパネルとすると共に、
複数種類のポータブルプレイヤの差込み部の横断面形状を、共通化し、該複数種類のポータブルプレイヤから選択した１個のポータブルプレイヤ（Ｐ）の差込み部（25）が上記差込口（２）に差込まれると、車載の上記電源（３），スピーカ（４）及びディスプレイ体（５）の画面（５ａ）に自動的に切換わるように、上記自動切換手段（９）を構成したことを特徴とする車載オーディオ装置。
【請求項３】
上記ポータブルプレイヤ（Ｐ）が上記車（10）の上記差込口（２）に差込まれると、上記ポータブルプレイヤ（Ｐ）に内蔵された電池部（13）の電気の消費が、停止されるように構成された請求項１又は２記載の車載オーディオ装置。
【手続補正２】
【補正対象書類名】明細書
【補正対象項目名】全文
【補正方法】変更
【補正の内容】
【発明の詳細な説明】
【技術分野】
【０００１】
本発明は、車載オーディオ装置に関するものである。
【背景技術】
【０００２】
従来、所望のＣＤ（コンパクトディスク）やカセットテープを車載プレイヤにセットし、車内のスピーカより音楽を流して、聴くことができる車載オーディオ装置が広く知られている（例えば、特許文献１参照）。
【特許文献１】特開平５−８５２７６号公報
【発明の開示】
【発明が解決しようとする課題】
【０００３】
１枚のＣＤやカセットテープには、十数曲程度の曲しか記憶させられないので、ドライブ中に多くの音楽を楽しむためには、車に多くのＣＤやカセットテープを搭載しておき、頻繁に、ＣＤやカセットテープを入れ替える必要がある。よって、作業が面倒であり、不便である。また、行楽地等に到着して音楽を楽しむには、ポータブルプレイヤを別途必要としていた。
【０００４】
そこで、本発明は、楽曲情報が多く記憶されて普段は携帯して音楽を楽しむことができるデジタルプレイヤを、容易に、車に取り付けることができ、車中で、ＣＤやカセットテープを入れ替えなくても、ドライブ中に所望の音楽を楽しむことができる車載オーディオ装置を提供することを目的とする。
また、別途、ポータブルプレイヤを持つ必要がないようにすることを、他の目的とする。
【課題を解決するための手段】
【０００５】
上記の目的を達成するために、本発明に係る車載オーディオ装置は、楽曲情報を書込消去自在なハードディスク駆動装置又は半導体メモリ内蔵型ポータブルプレイヤを、抜差自在に差込む差込口を備え、上記ポータブルプレイヤと、該差込口の内部との接触により、自動的に、該ポータブルプレイヤを、車に搭載の電源及びスピーカに電気的に接続すると共に、該車に搭載されたカーテレビ用又はカーナビゲーション用ディスプレイ体に電気的に接続し該ディスプレイ体の画面上での操作・表示に切り換える自動切換手段を、具備し、複数種類のポータブルプレイヤの差込み部の横断面形状を、共通化し、該複数種類のポータブルプレイヤから選択した１個のポータブルプレイヤの差込み部が上記差込口に差込まれると、車載の上記電源，スピーカ及びディスプレイ体の画面に自動的に切換わるように、上記自動切換手段を構成したものである。
【０００６】
また、車載オーディオ装置は、楽曲情報を書込消去自在なハードディスク駆動装置又は半導体メモリ内蔵型ポータブルプレイヤを、抜差自在に差込む差込口を備え、上記ポータブルプレイヤと、該差込口の内部との接触により、自動的に、該ポータブルプレイヤを、車に搭載の電源及びスピーカに電気的に接続すると共に、該車に搭載されたカーテレビ用又はカーナビゲーション用ディスプレイ体に電気的に接続し該ディスプレイ体の画面上での操作・表示に切り換える自動切換手段を、具備し、かつ、上記ディスプレイ体の画面を、選曲や音量調整等の表示と操作を可能なタッチパネルとすると共に、複数種類のポータブルプレイヤの差込み部の横断面形状を、共通化し、該複数種類のポータブルプレイヤから選択した１個のポータブルプレイヤの差込み部が上記差込口に差込まれると、車載の上記電源，スピーカ及びディスプレイ体の画面に自動的に切換わるように、上記自動切換手段を構成したものである。
また、上記ポータブルプレイヤが上記車の上記差込口に差込まれると、上記ポータブルプレイヤに内蔵された電池部の電気の消費が、停止されるように構成されている。
【発明の効果】
【０００７】
本発明は、次のような著大な効果を奏する。
ポータブルプレイヤを、車載オーディオ装置の差込口に差込むだけで、自動的に、車載電源，スピーカ及びディスプレイ体に電気的に接続されるので、配線等の面倒な作業をしなくても、容易に、車中で、ポータブルプレイヤに記憶させた音楽を、十分な音量にて、かつ、高音質で、楽しむことができる。
そして、ハードディスク駆動装置又は半導体メモリには、非常に多くの楽曲情報（例えば、数千曲以上の楽曲）を記憶させておくことができるので、ドライブ中に、（ＣＤやカセットテープ等のように、）頻繁に入れ替えなくても、所望の音楽を楽しむことができる。
しかも、このポータブルプレイヤは、差込口から取り外して使用することができるので、普段は、通勤や行楽地等にて、携帯して音楽を楽しむことができる。
【発明を実施するための最良の形態】
【０００８】
以下、実施の形態を示す図面に基づき、本発明を詳説する。
図１，図２，図３，図４に示すように、本発明に係る車載オーディオ装置は、車10の運転席の近傍に据えつけられ、ハードディスク駆動装置（ＨＤＤ）又は半導体メモリ内蔵型ポータブルプレイヤＰを抜差自在に差込む差込口２を有するオーディオ装置本体１を、備える。このハードディスク駆動装置（ＨＤＤ）又は半導体メモリ内蔵型ポータブルプレイヤＰは、デジタルプレイヤと呼ばれることもある。
５は、運転席の前側に取り付けられたカーテレビ用やカーナビゲーション用あるいは各種情報を表示するディスプレイ体である。大きさは、図１のように比較的大きいものから、その数分の１の小さ目のもの（図示省略）も自由に選択できる。
【０００９】
ポータブルプレイヤＰに内蔵されたＨＤＤ又は半導体メモリは、家庭等のパソコンによって、楽曲情報が、書込消去自在に記憶され、１台のポータブルプレイヤＰに、一度に、数千乃至１万数千の楽曲を、記憶可能である。
ポータブルプレイヤＰの外部ケース20は、薄い帯板形状を有し、その基端面21に、ヘッドホン19（またはイヤホン）のコードの入力端子が差込まれる出力部（ヘッドホンジャック）23と、ＯＮ−ＯＦＦスイッチ15と、を有し、先端面22に、装置本体１の差込口２の（後述する）入力・出力端子７ａ，７ｂに接触分離自在な出力・入力端子17ａ，17ｂを、有し、さらに、その正面に、選曲や音量調整等を行う操作部14と、曲名等を表示する表示部24と、が配設される。また、ケース20の側部に、パソコンから楽曲情報を転送するＵＳＢケーブルやＬＡＮケーブル等の接続部が、配設される。
なお、操作部14，スイッチ15，出力部23は、位置変更自在であり、例えば、ケース20の側面部に配設されてもよい。
【００１０】
さらに、このポータブルプレイヤＰは、楽曲情報の出力をヘッドホン19と（後述の）車載スピーカ４とのどちらかに切り換える制御切換回路11が、内蔵され、ケース20内において、制御切換回路11は、記憶部16，（充電池や乾電池等の）電池部13，スイッチ15，操作部14，表示部24，出力部23及び出力・入力端子17ａ，17ｂと、夫々（個別に）電気的に接続される。
ポータブルプレイヤＰは、制御切換回路11の制御により、オーディオ装置本体１の差込口２に差込まれていない場合は、スイッチ15によるＯＮ−ＯＦＦ切換と、操作部14による選曲・音量調整等の操作とが可能であり、かつ、ヘッドホン19で音楽を聴くことができる。
かつ、ポータブルプレイヤＰは、制御切換回路11の制御により、差込口２に差込まれた場合は、電池部13の消費が停止し、かつ、スイッチ15・操作部14の操作が停止すると共に、（後述するように、）記憶部16とオーディオ装置本体１との間で楽曲情報の入出力が行われる。
【００１１】
次に、オーディオ装置本体１について説明すると、差込口２は、ポータブルプレイヤＰのケース20の先端面22側が抜差自在となる横乃至縦方向細長形状であり、差込口２の内部２ａは、ケース20の先端面22に当接され、ケース20の出力・入力端子17ａ，17ｂに対応するように配設された入力・出力端子７ａ，７ｂを、有する。ケース20の出力・入力端子17ａ，17ｂは、凹状で、装置本体１の入力・出力端子７ａ，７ｂは、凸状に形成される。あるいは、図示省略するが、凹凸を逆にして形成してもよい。
【００１２】
また、オーディオ装置本体１は、ポータブルプレイヤＰと差込口２の内部２ａとが接触すると、自動的に、ポータブルプレイヤＰを、車載電源３及びスピーカ４に電気的に接続すると共に、車10に搭載されたディスプレイ体５に電気的に接続しディスプレイ体５の画面５ａ上での操作・表示に切り換える自動切換手段９を、具備する。
具体的には、自動切換手段９は、差込口２に差込まれたポータブルプレイヤＰの先端面22が当接されたことを検出する検出部８と、装置本体１内において検出部８と電気的に接続され検出信号が送信されて車載電源３，車載スピーカ４…，ディスプレイ体５に切換える制御回路６と、を有する。
制御回路６は、装置本体１内にて、入力・出力端子７ａ，７ｂと電気的に接続されると共に、車載電源３，車載スピーカ４…，ディスプレイ体５と、夫々、配線33，34，35にて電気的に接続される。
また、検出部８は、例えば、差込口２の内部２ａに形成された細長凹部内に配設されたコイルバネの弾発付勢力により、差込口２の内部２ａに突出された小押圧体を有するプッシュボタン式切換部から、成る（図３，図４参照）。あるいは、検出部８を、差込口２の内部２ａに上記先端面22が差込まれたことを電気的に検出し、制御回路６へ検出信号を送信するように構成してもよい。また、オーディオ装置本体１は、上記の差込口２の他に、ＣＤ，ＭＤ，カセットテープ等のオーディオソフトのプレイヤ機能を、備えて、使用可能としてもよい。
【００１３】
次に、車載オーディオ装置の使用方法及び作用について説明する。
図１，図３に於ては、ポータブルプレイヤＰが、オーディオ装置本体１の差込口２に差込まれていない状態であり、このとき、スイッチ15をＯＮにして、出力部23に接続されたヘッドホン19から、記憶部16に記憶された（書込まれた）楽曲を、聴くことができる。
また、操作部14で選曲・音量調整等の操作を行うことができ、それらの情報を表示部24で確認できる（図２参照）。
【００１４】
次いで、図４に示すように、ポータブルプレイヤＰを、オーディオ装置本体１の差込口２に差込み、ポータブルプレイヤＰの出力・入力端子17ａ，17ｂを、オーディオ装置本体１の入力・出力端子７ａ，７ｂに接続する。
このとき、オーディオ装置本体１において、矢印38のように、検出部８から制御回路６に検出信号が流れ、車載電源３の電力が、制御回路６へ供給される。すると、制御回路６から出力された制御信号が、矢印39のように、出力端子７ｂ、及び、ポータブルプレイヤＰの入力端子17ｂを介して、制御切換回路11へ送信されて、制御切換回路11が、電池部13の電力消費を停止させ、かつ、スイッチ15及び操作部14の操作を停止するように、制御する。
そして、記憶部16から出力された情報（データ）が、矢印40のように、制御切換回路11，出力端子17ａ、及び、オーディオ装置本体１の入力端子７ａを介して、制御回路６に入力される。そして、スピーカ４…は、制御回路６から楽曲情報が送信されて、音楽を流し、ディスプレイ体５は、制御回路６から曲名等の情報が送信されて画面５ａに表示される。
また、ディスプレイ体５の画面５ａをタッチパネルとして、操作可能とすると、画面５ａ上で選曲や音量調整等の操作をでき、ディスプレイ体５から出力された信号が、矢印41のように、制御回路６に送信される。この信号による制御回路６の制御により、ポータブルプレイヤＰの記憶部16やスピーカ４…へ、制御信号が送信され、選曲や音量調整等がなされる。
【００１５】
そして、複数種類のポータブルプレイヤＰの差込み部25の横断面形状を、共通化する。即ち、複数種類のポータブルプレイヤＰに対して、その差込み部25の形状を、共通のオーディオ装置本体１の差込口２に、抜差自在となるように、形成する。また、上記出力・入力端子17ａ，17ｂが、装置本体１の入力・出力端子７ａ，７ｂに、夫々対応して接触するように、構成する。
さらに、複数種類のポータブルプレイヤＰについて、その差込み部25がオーディオ装置本体１の差込口２に差込まれると、車載電源３，スピーカ４…及びディスプレイ体５の画面５ａに自動的に切換わるように、自動切換手段９を構成する。
以上のような構成にすることにより、どのメーカーのポータブルプレイヤＰでも、同一のオーディオ装置本体に差込んで、車内で音楽を楽しむことができる。
【００１６】
そして、車10内で、音楽を聴き終え、ポータブルプレイヤＰを、オーディオ装置本体１の差込口２から抜取ると、（図１，図３に於て既述したように、）スイッチ15をＯＮにして、出力部23に接続されたヘッドホン19で、操作部14で選曲・音量調整等の操作を行いながら、音楽を聴くことができ、それらの情報を表示部24で確認できる（図２参照）。
【００１７】
以上のように、本発明の車載オーディオ装置は、楽曲情報を書込消去自在なハードディスク駆動装置又は半導体メモリ内蔵型ポータブルプレイヤＰを、抜差自在に差込む差込口２を備え、ポータブルプレイヤＰと、差込口２の内部２ａとの接触により、自動的に、ポータブルプレイヤＰを、車10に搭載の電源３及びスピーカ４に電気的に接続すると共に、車10に搭載されたカーテレビ用又はカーナビゲーション用ディスプレイ体５に電気的に接続しディスプレイ体５の画面５ａ上での操作・表示に切り換える自動切換手段９を、具備し、複数種類のポータブルプレイヤの差込み部の横断面形状を、共通化し、複数種類のポータブルプレイヤから選択した１個のポータブルプレイヤＰの差込み部25が差込口２に差込まれると、車載の電源３，スピーカ４及びディスプレイ体５の画面５ａに自動的に切換わるように、自動切換手段を構成したので、ポータブルプレイヤＰを、車10内の差込口２に差込んでセットするだけで、容易に、車載電源３，スピーカ４，ディスプレイ体５に電気的に接続されるので、配線等の面倒な作業をしなくても、車中で、音楽を、十分な音量にて、かつ、高音質で、楽しむことができる。
そして、ハードディスク駆動装置又は半導体メモリには、非常に多くのオーディオ情報（例えば、数千曲以上の楽曲）を記憶させておくことができるので、ドライブ中に、（ＣＤやカセットテープ等のように、）頻繁に入れ替えなくても、所望の音楽を楽しむことができる。
しかも、このポータブルプレイヤＰは、差込口２から取り外して使用することができるので、普段は、通勤や行楽地等にて携帯して音楽を楽しむことができる。
かつ、どのメーカーのポータブルプレイヤＰでも、同一のオーディオ装置本体に差込んで、車内で音楽を楽しむことができる。
【００１８】
また、車載オーディオ装置は、楽曲情報を書込消去自在なハードディスク駆動装置又は半導体メモリ内蔵型ポータブルプレイヤＰを、抜差自在に差込む差込口２を備え、ポータブルプレイヤＰと、差込口２の内部２ａとの接触により、自動的に、ポータブルプレイヤＰを、車10に搭載の電源３及びスピーカ４に電気的に接続すると共に、車10に搭載されたカーテレビ用又はカーナビゲーション用ディスプレイ体５に電気的に接続しディスプレイ体５の画面５ａ上での操作・表示に切り換える自動切換手段９を、具備し、かつ、ディスプレイ体５の画面５ａを、選曲や音量調整等の表示と操作を可能なタッチパネルとすると共に、複数種類のポータブルプレイヤの差込み部の横断面形状を、共通化し、複数種類のポータブルプレイヤから選択した１個のポータブルプレイヤＰの差込み部25が差込口２に差込まれると、車載の電源３，スピーカ４及びディスプレイ体５の画面５ａに自動的に切換わるように、自動切換手段９を構成したので、ポータブルプレイヤＰを、車10内の差込口２に差込んでセットするだけで、容易に、車載電源３，スピーカ４，ディスプレイ体５に電気的に接続されるので、配線等の面倒な作業をしなくても、車中で、音楽を、十分な音量にて、かつ、高音質で、楽しむことができる。
そして、ハードディスク駆動装置又は半導体メモリには、非常に多くのオーディオ情報（例えば、数千曲以上の楽曲）を記憶させておくことができるので、ドライブ中に、（ＣＤやカセットテープ等のように、）頻繁に入れ替えなくても、所望の音楽を楽しむことができる。
しかも、このポータブルプレイヤＰは、差込口２から取り外して使用することができるので、普段は、通勤や行楽地等にて携帯して音楽を楽しむことができる。
さらに、ディスプレイ体５の画面５ａをタッチパネルとすることで、選曲や音量調整等の表示と、操作をすることができる。
かつ、どのメーカーのポータブルプレイヤＰでも、同一のオーディオ装置本体に差込んで、車内で音楽を楽しむことができる。
【００１９】
また、ポータブルプレイヤＰが車10の差込口２に差込まれると、ポータブルプレイヤＰに内蔵された電池部13の電気の消費が、停止されるように構成されるので、車10内で車載スピーカにて音楽を楽しんでいる間は、電池部13の蓄電が消耗することがなく、差込口２から取外して使用するために、電池部13を長持ちさせられ、好都合である。
【図面の簡単な説明】
【００２０】
【図１】本発明に係る車載オーディオ装置の実施の一形態を示す斜視図である。
【図２】ポータブルプレイヤを示す図であって、（ａ）は正面図で、（ｂ）は平面図で、（ｃ）は底面図である。
【図３】説明用ブロック図である。
【図４】説明用ブロック図である。
【符号の説明】
【００２１】
１  オーディオ装置本体
２  差込口
２ａ  内部
３  電源
４  スピーカ
５  ディスプレイ体
５ａ  画面
９  自動切換手段
10  車
13  電池部
25  差込み部
Ｐ  ポータブルプレイヤ
【手続補正書】
【提出日】平成17年8月26日(2005.8.26)
【手続補正１】
【補正対象書類名】特許請求の範囲
【補正対象項目名】全文
【補正方法】変更
【補正の内容】
【特許請求の範囲】
【請求項１】
楽曲情報を書込消去自在なハードディスク駆動装置又は半導体メモリ内蔵型ポータブルプレイヤ（Ｐ）を、抜差自在に差込む差込口（２）を備え、
上記ポータブルプレイヤ（Ｐ）と、該差込口（２）の内部（２ａ）との接触により、自動的に、該ポータブルプレイヤ（Ｐ）を、車（10）に搭載の電源（３）及びスピーカ（４）に電気的に接続すると共に、該車（10）に搭載されたカーテレビ用又はカーナビゲーション用ディスプレイ体（５）に電気的に接続し該ディスプレイ体（５）の画面（５ａ）上での操作・表示に切り換える自動切換手段（９）を、具備し、
かつ、上記ディスプレイ体（５）の画面（５ａ）を、選曲や音量調整等の表示と操作を可能なタッチパネルとすると共に、
複数種類のポータブルプレイヤの差込み部の横断面形状を、共通化し、該複数種類のポータブルプレイヤから選択した１個のポータブルプレイヤ（Ｐ）の差込み部（25）が上記差込口（２）に差込まれると、車載の上記電源（３），スピーカ（４）及びディスプレイ体（５）の画面（５ａ）に自動的に切換わるように、上記自動切換手段（９）を構成し、さらに、上記ポータブルプレイヤ（Ｐ）が上記車（10）の上記差込口（２）に差込まれると、上記ポータブルプレイヤ（Ｐ）に内蔵された電池部（13）の電気の消費が、停止されるように構成されたことを特徴とする車載オーディオ装置。
【手続補正２】
【補正対象書類名】明細書
【補正対象項目名】全文
【補正方法】変更
【補正の内容】
【発明の詳細な説明】
【技術分野】
【０００１】
本発明は、車載オーディオ装置に関するものである。
【背景技術】
【０００２】
従来、所望のＣＤ（コンパクトディスク）やカセットテープを車載プレイヤにセットし、車内のスピーカより音楽を流して、聴くことができる車載オーディオ装置が広く知られている（例えば、特許文献１参照）。
【特許文献１】特開平５−８５２７６号公報
【発明の開示】
【発明が解決しようとする課題】
【０００３】
１枚のＣＤやカセットテープには、十数曲程度の曲しか記憶させられないので、ドライブ中に多くの音楽を楽しむためには、車に多くのＣＤやカセットテープを搭載しておき、頻繁に、ＣＤやカセットテープを入れ替える必要がある。よって、作業が面倒であり、不便である。また、行楽地等に到着して音楽を楽しむには、ポータブルプレイヤを別途必要としていた。
【０００４】
そこで、本発明は、楽曲情報が多く記憶されて普段は携帯して音楽を楽しむことができるデジタルプレイヤを、容易に、車に取り付けることができ、車中で、ＣＤやカセットテープを入れ替えなくても、ドライブ中に所望の音楽を楽しむことができる車載オーディオ装置を提供することを目的とする。
また、別途、ポータブルプレイヤを持つ必要がないようにすることを、他の目的とする。
【課題を解決するための手段】
【０００５】
上記の目的を達成するために、本発明に係る車載オーディオ装置は、楽曲情報を書込消去自在なハードディスク駆動装置又は半導体メモリ内蔵型ポータブルプレイヤを、抜差自在に差込む差込口を備え、上記ポータブルプレイヤと、該差込口の内部との接触により、自動的に、該ポータブルプレイヤを、車に搭載の電源及びスピーカに電気的に接続すると共に、該車に搭載されたカーテレビ用又はカーナビゲーション用ディスプレイ体に電気的に接続し該ディスプレイ体の画面上での操作・表示に切り換える自動切換手段を、具備し、かつ、上記ディスプレイ体の画面を、選曲や音量調整等の表示と操作を可能なタッチパネルとすると共に、複数種類のポータブルプレイヤの差込み部の横断面形状を、共通化し、該複数種類のポータブルプレイヤから選択した１個のポータブルプレイヤの差込み部が上記差込口に差込まれると、車載の上記電源，スピーカ及びディスプレイ体の画面に自動的に切換わるように、上記自動切換手段を構成し、さらに、上記ポータブルプレイヤが上記車の上記差込口に差込まれると、上記ポータブルプレイヤに内蔵された電池部の電気の消費が、停止されるように構成されたものである。
【発明の効果】
【０００６】
本発明は、次のような著大な効果を奏する。
ポータブルプレイヤを、車載オーディオ装置の差込口に差込むだけで、自動的に、車載電源，スピーカ及びディスプレイ体に電気的に接続されるので、配線等の面倒な作業をしなくても、容易に、車中で、ポータブルプレイヤに記憶させた音楽を、十分な音量にて、かつ、高音質で、楽しむことができる。
そして、ハードディスク駆動装置又は半導体メモリには、非常に多くの楽曲情報（例えば、数千曲以上の楽曲）を記憶させておくことができるので、ドライブ中に、（ＣＤやカセットテープ等のように、）頻繁に入れ替えなくても、所望の音楽を楽しむことができる。
しかも、このポータブルプレイヤは、差込口から取り外して使用することができるので、普段は、通勤や行楽地等にて、携帯して音楽を楽しむことができる。
【発明を実施するための最良の形態】
【０００７】
以下、実施の形態を示す図面に基づき、本発明を詳説する。
図１，図２，図３，図４に示すように、本発明に係る車載オーディオ装置は、車10の運転席の近傍に据えつけられ、ハードディスク駆動装置（ＨＤＤ）又は半導体メモリ内蔵型ポータブルプレイヤＰを抜差自在に差込む差込口２を有するオーディオ装置本体１を、備える。このハードディスク駆動装置（ＨＤＤ）又は半導体メモリ内蔵型ポータブルプレイヤＰは、デジタルプレイヤと呼ばれることもある。
５は、運転席の前側に取り付けられたカーテレビ用やカーナビゲーション用あるいは各種情報を表示するディスプレイ体である。大きさは、図１のように比較的大きいものから、その数分の１の小さ目のもの（図示省略）も自由に選択できる。
【０００８】
ポータブルプレイヤＰに内蔵されたＨＤＤ又は半導体メモリは、家庭等のパソコンによって、楽曲情報が、書込消去自在に記憶され、１台のポータブルプレイヤＰに、一度に、数千乃至１万数千の楽曲を、記憶可能である。
ポータブルプレイヤＰの外部ケース20は、薄い帯板形状を有し、その基端面21に、ヘッドホン19（またはイヤホン）のコードの入力端子が差込まれる出力部（ヘッドホンジャック）23と、ＯＮ−ＯＦＦスイッチ15と、を有し、先端面22に、装置本体１の差込口２の（後述する）入力・出力端子７ａ，７ｂに接触分離自在な出力・入力端子17ａ，17ｂを、有し、さらに、その正面に、選曲や音量調整等を行う操作部14と、曲名等を表示する表示部24と、が配設される。また、ケース20の側部に、パソコンから楽曲情報を転送するＵＳＢケーブルやＬＡＮケーブル等の接続部が、配設される。
なお、操作部14，スイッチ15，出力部23は、位置変更自在であり、例えば、ケース20の側面部に配設されてもよい。
【０００９】
さらに、このポータブルプレイヤＰは、楽曲情報の出力をヘッドホン19と（後述の）車載スピーカ４とのどちらかに切り換える制御切換回路11が、内蔵され、ケース20内において、制御切換回路11は、記憶部16，（充電池や乾電池等の）電池部13，スイッチ15，操作部14，表示部24，出力部23及び出力・入力端子17ａ，17ｂと、夫々（個別に）電気的に接続される。
ポータブルプレイヤＰは、制御切換回路11の制御により、オーディオ装置本体１の差込口２に差込まれていない場合は、スイッチ15によるＯＮ−ＯＦＦ切換と、操作部14による選曲・音量調整等の操作とが可能であり、かつ、ヘッドホン19で音楽を聴くことができる。
かつ、ポータブルプレイヤＰは、制御切換回路11の制御により、差込口２に差込まれた場合は、電池部13の消費が停止し、かつ、スイッチ15・操作部14の操作が停止すると共に、（後述するように、）記憶部16とオーディオ装置本体１との間で楽曲情報の入出力が行われる。
【００１０】
次に、オーディオ装置本体１について説明すると、差込口２は、ポータブルプレイヤＰのケース20の先端面22側が抜差自在となる横乃至縦方向細長形状であり、差込口２の内部２ａは、ケース20の先端面22に当接され、ケース20の出力・入力端子17ａ，17ｂに対応するように配設された入力・出力端子７ａ，７ｂを、有する。ケース20の出力・入力端子17ａ，17ｂは、凹状で、装置本体１の入力・出力端子７ａ，７ｂは、凸状に形成される。あるいは、図示省略するが、凹凸を逆にして形成してもよい。
【００１１】
また、オーディオ装置本体１は、ポータブルプレイヤＰと差込口２の内部２ａとが接触すると、自動的に、ポータブルプレイヤＰを、車載電源３及びスピーカ４に電気的に接続すると共に、車10に搭載されたディスプレイ体５に電気的に接続しディスプレイ体５の画面５ａ上での操作・表示に切り換える自動切換手段９を、具備する。
具体的には、自動切換手段９は、差込口２に差込まれたポータブルプレイヤＰの先端面22が当接されたことを検出する検出部８と、装置本体１内において検出部８と電気的に接続され検出信号が送信されて車載電源３，車載スピーカ４…，ディスプレイ体５に切換える制御回路６と、を有する。
制御回路６は、装置本体１内にて、入力・出力端子７ａ，７ｂと電気的に接続されると共に、車載電源３，車載スピーカ４…，ディスプレイ体５と、夫々、配線33，34，35にて電気的に接続される。
また、検出部８は、例えば、差込口２の内部２ａに形成された細長凹部内に配設されたコイルバネの弾発付勢力により、差込口２の内部２ａに突出された小押圧体を有するプッシュボタン式切換部から、成る（図３，図４参照）。あるいは、検出部８を、差込口２の内部２ａに上記先端面22が差込まれたことを電気的に検出し、制御回路６へ検出信号を送信するように構成してもよい。また、オーディオ装置本体１は、上記の差込口２の他に、ＣＤ，ＭＤ，カセットテープ等のオーディオソフトのプレイヤ機能を、備えて、使用可能としてもよい。
【００１２】
次に、車載オーディオ装置の使用方法及び作用について説明する。
図１，図３に於ては、ポータブルプレイヤＰが、オーディオ装置本体１の差込口２に差込まれていない状態であり、このとき、スイッチ15をＯＮにして、出力部23に接続されたヘッドホン19から、記憶部16に記憶された（書込まれた）楽曲を、聴くことができる。
また、操作部14で選曲・音量調整等の操作を行うことができ、それらの情報を表示部24で確認できる（図２参照）。
【００１３】
次いで、図４に示すように、ポータブルプレイヤＰを、オーディオ装置本体１の差込口２に差込み、ポータブルプレイヤＰの出力・入力端子17ａ，17ｂを、オーディオ装置本体１の入力・出力端子７ａ，７ｂに接続する。
このとき、オーディオ装置本体１において、矢印38のように、検出部８から制御回路６に検出信号が流れ、車載電源３の電力が、制御回路６へ供給される。すると、制御回路６から出力された制御信号が、矢印39のように、出力端子７ｂ、及び、ポータブルプレイヤＰの入力端子17ｂを介して、制御切換回路11へ送信されて、制御切換回路11が、電池部13の電力消費を停止させ、かつ、スイッチ15及び操作部14の操作を停止するように、制御する。
そして、記憶部16から出力された情報（データ）が、矢印40のように、制御切換回路11，出力端子17ａ、及び、オーディオ装置本体１の入力端子７ａを介して、制御回路６に入力される。そして、スピーカ４…は、制御回路６から楽曲情報が送信されて、音楽を流し、ディスプレイ体５は、制御回路６から曲名等の情報が送信されて画面５ａに表示される。
また、ディスプレイ体５の画面５ａをタッチパネルとして、操作可能とすると、画面５ａ上で選曲や音量調整等の操作をでき、ディスプレイ体５から出力された信号が、矢印41のように、制御回路６に送信される。この信号による制御回路６の制御により、ポータブルプレイヤＰの記憶部16やスピーカ４…へ、制御信号が送信され、選曲や音量調整等がなされる。
【００１４】
そして、複数種類のポータブルプレイヤＰの差込み部25の横断面形状を、共通化する。即ち、複数種類のポータブルプレイヤＰに対して、その差込み部25の形状を、共通のオーディオ装置本体１の差込口２に、抜差自在となるように、形成する。また、上記出力・入力端子17ａ，17ｂが、装置本体１の入力・出力端子７ａ，７ｂに、夫々対応して接触するように、構成する。
さらに、複数種類のポータブルプレイヤＰについて、その差込み部25がオーディオ装置本体１の差込口２に差込まれると、車載電源３，スピーカ４…及びディスプレイ体５の画面５ａに自動的に切換わるように、自動切換手段９を構成する。
以上のような構成にすることにより、どのメーカーのポータブルプレイヤＰでも、同一のオーディオ装置本体に差込んで、車内で音楽を楽しむことができる。
【００１５】
そして、車10内で、音楽を聴き終え、ポータブルプレイヤＰを、オーディオ装置本体１の差込口２から抜取ると、（図１，図３に於て既述したように、）スイッチ15をＯＮにして、出力部23に接続されたヘッドホン19で、操作部14で選曲・音量調整等の操作を行いながら、音楽を聴くことができ、それらの情報を表示部24で確認できる（図２参照）。
【００１６】
以上のように、本発明の車載オーディオ装置は、楽曲情報を書込消去自在なハードディスク駆動装置又は半導体メモリ内蔵型ポータブルプレイヤＰを、抜差自在に差込む差込口２を備え、ポータブルプレイヤＰと、差込口２の内部２ａとの接触により、自動的に、ポータブルプレイヤＰを、車10に搭載の電源３及びスピーカ４に電気的に接続すると共に、車10に搭載されたカーテレビ用又はカーナビゲーション用ディスプレイ体５に電気的に接続しディスプレイ体５の画面５ａ上での操作・表示に切り換える自動切換手段９を、具備し、かつ、ディスプレイ体５の画面５ａを、選曲や音量調整等の表示と操作を可能なタッチパネルとすると共に、複数種類のポータブルプレイヤの差込み部の横断面形状を、共通化し、複数種類のポータブルプレイヤから選択した１個のポータブルプレイヤＰの差込み部25が差込口２に差込まれると、車載の電源３，スピーカ４及びディスプレイ体５の画面５ａに自動的に切換わるように、自動切換手段９を構成し、さらに、ポータブルプレイヤＰが車10の差込口２に差込まれると、ポータブルプレイヤＰに内蔵された電池部13の電気の消費が、停止されるように構成されるので、ポータブルプレイヤＰを、車10内の差込口２に差込んでセットするだけで、容易に、車載電源３，スピーカ４，ディスプレイ体５に電気的に接続されるので、配線等の面倒な作業をしなくても、車中で、音楽を、十分な音量にて、かつ、高音質で、楽しむことができる。
そして、ハードディスク駆動装置又は半導体メモリには、非常に多くのオーディオ情報（例えば、数千曲以上の楽曲）を記憶させておくことができるので、ドライブ中に、（ＣＤやカセットテープ等のように、）頻繁に入れ替えなくても、所望の音楽を楽しむことができる。
しかも、このポータブルプレイヤＰは、差込口２から取り外して使用することができるので、普段は、通勤や行楽地等にて携帯して音楽を楽しむことができる。
さらに、ディスプレイ体５の画面５ａをタッチパネルとすることで、選曲や音量調整等の表示と、操作をすることができる。
かつ、どのメーカーのポータブルプレイヤＰでも、同一のオーディオ装置本体に差込んで、車内で音楽を楽しむことができる。
【００１７】
また、車10内で車載スピーカにて音楽を楽しんでいる間は、電池部13の蓄電が消耗することがなく、差込口２から取外して使用するために、電池部13を長持ちさせられ、好都合である。
【図面の簡単な説明】
【００１８】
【図１】本発明に係る車載オーディオ装置の実施の一形態を示す斜視図である。
【図２】ポータブルプレイヤを示す図であって、（ａ）は正面図で、（ｂ）は平面図で、（ｃ）は底面図である。
【図３】説明用ブロック図である。
【図４】説明用ブロック図である。
【符号の説明】
【００１９】
１  オーディオ装置本体
２  差込口
２ａ  内部
３  電源
４  スピーカ
５  ディスプレイ体
５ａ  画面
９  自動切換手段
10  車
13  電池部
25  差込み部
Ｐ  ポータブルプレイヤ